(57)【要約】【課題】配管径に適した大きさのノックアウト穴を選択的に開口することができるとともに、その開口されたノックアウト穴と配管との隙間からの空気の流入、ゴミの侵入を防止することができる空気調和機を提供する。【解決手段】室内ユニット本体１の天井面または背面に冷媒配管及びドレン排水配管を挿通するためのノックアウト穴２０が設けられた空気調和機であって、冷媒配管用のノックアウト穴として、第１の切取り部２０Ａを複数隣接して切取り可能に形成し、ドレン排水配管用のノックアウト穴として、第２の切取り部２０Ｂを第１の切取り部２０Ａの開口領域を分割するように切取り可能に形成する。【選択図】図３
2009139066.tif 000002
【特許請求の範囲】
【請求項１】
室内ユニット本体の壁面に冷媒配管及びドレン排水配管を挿通するためのノックアウト穴が設けられた空気調和機であって、
冷媒配管用のノックアウト穴として、第１の切取り部が複数隣接して切取り可能に形成され、ドレン排水配管用のノックアウト穴として、第２の切取り部が前記第１の切取り部の開口領域を分割するように切取り可能に形成されたことを特徴とする空気調和機。
【請求項２】
前記第１の切取り部と前記第２の切取り部とは、開口される穴の輪郭に沿って断続的に形成されたスリット孔部と切り離し部の一部を共有することを特徴とする請求項１記載の空気調和機。
【請求項３】
前記第１の切取り部と前記第２の切取り部とからなるノックアウト穴が、前記室内ユニット本体の天井面または背面の一方または両方に形成されていることを特徴とする請求項１または２記載の空気調和機。
【請求項４】
前記室内ユニット本体内の配管接続部の近傍にドレンアップ装置を備え、冷媒配管用のノックアウト穴を前記室内ユニット本体の天井面に形成し、ドレン排水配管用のノックアウト穴を前記室内ユニット本体の背面に形成し、前記ドレン排水配管を前記冷媒配管より背面側に配設することを特徴とする請求項１乃至３のいずれかに記載の空気調和機。
【請求項５】
前記室内ユニット本体内の配管接続部の近傍にドレンアップ装置を備え、冷媒配管用のノックアウト穴とドレン排水配管用のノックアウト穴を前記室内ユニット本体の天井面に形成し、前記ドレン排水配管を前記冷媒配管より後方に配設することを特徴とする請求項１乃至３のいずれかに記載の空気調和機。
【発明の詳細な説明】
【技術分野】
【０００１】
本発明は、室内ユニット本体に冷媒配管等の配管を挿通するためのノックアウト穴を設けた空気調和機に関し、特に現地据付工事時における配管接続に好適なノックアウト穴を備えた空気調和機に関する。
【背景技術】
【０００２】
天吊形等の空気調和機は室内ユニット本体を有し、この室内ユニット本体には熱交換器などの内部機器に対して現地据付工事時に接続される冷媒配管などを挿通させるための開口穴が必要である。一般に、空気調和機の室内ユニット本体には開口穴を形成可能とするノックアウト穴が室内ユニット本体内の配管接続スペースの壁面に備えられている（例えば、特許文献１参照）。
【０００３】
【特許文献１】特開平７−２６０１９５号公報（第３−５頁、図２、図１０）
【発明の開示】
【発明が解決しようとする課題】
【０００４】
しかし、特許文献１に示すような従来のノックアウト穴の構造では、ノックアウト穴の開口面積がその穴の中を通る配管径に比べて大きく形成されているので、断熱材等を配管に巻き付けてもノックアウト穴との隙間を塞ぐことが難しく、その隙間から室内ユニット本体の吸込口から吸引される空気とは別に空気が流入したり、ゴミなどが侵入するという課題があった。
また、開口したノックアウト穴と配管との隙間から流入した空気・ゴミなどが風路一次側の機械室に侵入しないように、配管接続スペースと風路一次側の機械室との間に仕切り板を設ける必要があった。そのため、部品点数が多くなってコスト増となる課題があった。
【０００５】
本発明は、上記のような課題を解決するためになされたもので、配管径に適した大きさのノックアウト穴を選択的に開口することができるようにするとともに、その開口されたノックアウト穴と配管との隙間からの空気の流入、ゴミの侵入を防止することができる空気調和機を提供することを目的とする。
また、ノックアウト穴の上記隙間から流入した空気・ゴミなどが風路一次側の機械室に侵入しないように配管接続スペースと風路一次側の機械室との間に備えている仕切り板を不要とし、部品点数を削減することによりコスト低減を図ることができる空気調和機を提供することを目的とする。
【課題を解決するための手段】
【０００６】
本発明に係る天吊形空気調和機は、室内ユニット本体の壁面に冷媒配管及びドレン排水配管を挿通するためのノックアウト穴が設けられた空気調和機であって、冷媒配管用のノックアウト穴として、第１の切取り部が複数隣接して切取り可能に形成され、ドレン排水配管用のノックアウト穴として、第２の切取り部が前記第１の切取り部の開口領域を分割するように切取り可能に形成されたものである。
【発明の効果】
【０００７】
室内ユニット本体の壁面に設けられるノックアウト穴を上記のように構成することにより、冷媒配管及びドレン排水配管の配管径に適した大きさのノックアウト穴を選択的に開口することができるので、ノックアウト穴と配管との隙間からの空気の流入およびゴミの侵入を防止することができ、また結果として、配管接続スペースと風路一次側の機械室とを隔てていた仕切り板が不要となり、部品点数が削減されてコスト低減を図ることができる。
【発明を実施するための最良の形態】
【０００８】
以下、本発明の実施の形態について図面を参照して説明する。ここでは天吊形空気調和機を例にとって説明するが、本発明はこれに限らず、天井埋め込み型空気調和機、壁掛け型空気調和機等にも適用することができるものである。
【０００９】
実施の形態１．
図１は本発明の実施の形態１に係る天吊形空気調和機の内部構造を側面から見た概略断面側面図、図２は天吊形空気調和機の配管接続状況を示す説明図、図３は室内ユニット本体の壁面に形成されるノックアウト穴の一例を示す図である。
図１において、天吊形空気調和機１０の室内ユニット本体１は、ほぼ四角形の箱体をなし、天井から吊り下げられて設置されている。室内ユニット本体１の下面(図１の右側下部)には室内空気ａを吸い込む吸込口２が形成されており、吸込口２には塵埃等を除去するフィルタ７が取り付けられている。室内ユニット本体１の吸込口２の近傍にはシロッコファンよりなる送風ファン３が設けられ、駆動用電動機(図示せず)によって駆動される。
【００１０】
室内ユニット本体１内には送風ファン３の下流側(図1の左側)に風路４及び吹出口５が設けられ、風路４内には冷凍サイクルを構成する熱交換器６が下流側を上方にして斜めに配置されており、ここで吸込口２より吸入された室内空気ａ(一次空気ともいう)と熱交換器６の冷媒とが熱交換を行う。熱交換後の室内空気ａは二次空気ｂとなって吹出口５より吹出す。
送風ファン３と風路４の間には、送風ファン３及び駆動用電動機（図示せず）が設置される機械室と風路４とを隔てる仕切り板８が取り付けられている。
熱交換器６の側方部分６ａには、図２に示すように、冷媒を流通させる冷媒ガス配管２１と冷媒液配管２２とが接続されており、現地据付工事時に、冷媒ガス配管２１には現地冷媒ガス配管２１０、冷媒液配管２２には現地冷媒液配管２２０が接続される。
【００１１】
熱交換器６の下側には、熱交換器６によって発生したドレン水ｄを受ける発泡スチロール製のドレンパン９が配置されており、ドレンパン９の熱交換器６側の表面にはＡＢＳ製のスキン層９ａがドレンパン９にインサート成形されている。ドレンパン９の下側には金属板からなる意匠パネル１１が設置されている。
熱交換器６の側方部分６ａの上流側の下方には、ドレンパン９のドレン水溜まり部９ｂとドレン水排出口９ｃが設けられており、ドレン水排出口９ｃにはドレン水を排出するためのドレン排水配管２３０が現地据付工事時に接続され、ドレン水を室内ユニット本体１の外へ排出するようにしてある。
【００１２】
ノックアウト穴２０は、図３に示すように、室内ユニット本体１の天井面１ａまたは背面１ｂ、あるいは天井面１ａと背面１ｂの両面に形成され、開口される穴の輪郭に沿って断続的に形成されたスリット孔部２０ａと切り離し部２０ｂとから構成されている。
ここで、冷媒配管用のノックアウト穴として、第１の切取り部２０Ａが複数隣接して切取り可能に形成され、ドレン排水配管用のノックアウト穴として、第２の切取り部２０Ｂが第１の切取り部２０Ａの開口領域を正面からみて上側（外側）と下側（内側）に分割するように切取り可能に形成されている。すなわち、第１の切取り部２０Ａと第２の切取り部２０Ｂとは、開口される穴の輪郭に沿って断続的に形成されたスリット孔部２０ａと切り離し部２０ｂの一部を共有することにより、第１の切取り部２０Ａは上側（外側）と下側（内側）の２つの第２の切取り部２０Ｂを有する冷媒配管用のノックアウト穴として形成され、第２の切取り部２０Ｂは上側（外側）と下側（内側）のいずれか一方を切り取り開口することにより、ドレン排水配管用のノックアウト穴として形成される。
【００１３】
次に、天吊形空気調和機１０の配管接続について図２を参照して説明する。天吊形空気調和機を動作させるためには、室内ユニット本体１内の熱交換器６の側方部分６ａに接続されている冷媒ガス配管２１と冷媒液配管２２を現地冷媒ガス配管２１０と現地冷媒液配管２２０とを接続させる。また、熱交換器６から発生したドレン水ｄを室内ユニット本体１の外へ排出するために、ドレンパン９のドレン水排出口９ｃにドレン排水配管２３０を接続させる。
このとき、各接続配管を室内ユニット本体１内の配管接続スペース１ｃに挿通させるためにノックアウト穴２０を適宜選択して開口する。
【００１４】
ここで、上記のように構成されたノックアウト穴２０を用いて、現地据付工事時の配管接続の実施例を図４、図５に示す。
図４は、室内ユニット本体１の背面１ｂに設けられたノックアウト穴２０を用いた実施例を示すものであり、この場合は、上側２つの第１の切取り部２０Ａを切り取り開口し、これらのノックアウト穴から現地冷媒ガス配管２１０、現地冷媒液配管２２０を挿通して室内ユニット本体１の冷媒ガス配管２１と冷媒液配管２２に接続する。
ドレン排水配管２３０については、例えば右下隅の第２の切取り部２０Ｂを切り取り開口し、このノックアウト穴からドレン排水配管２３０を挿通して室内ユニット本体１のドレン水排出口９ｃに接続する。
図５は、室内ユニット本体１の天井面１ａと背面１ｂに設けられたノックアウト穴２０を用いた実施例を示すものである。この場合は、天井面１ａに設けられたノックアウト穴２０を利用し、例えば上側２つの第１の切取り部２０Ａを切り取り開口し、これらのノックアウト穴から現地冷媒ガス配管２１０、現地冷媒液配管２２０を図示しないエルボを用いてほぼ直角に屈曲させて挿通し、室内ユニット本体１の冷媒ガス配管２１と冷媒液配管２２に接続する。
一方、ドレン排水配管２３０は、上記のように右下隅の第２の切取り部２０Ｂを切り取り開口し、このノックアウト穴からドレン排水配管２３０を挿通して室内ユニット本体１のドレン水排出口９ｃに接続する。
【００１５】
実施の形態１によれば、冷媒配管用のノックアウト穴２０は、第１の切取り部２０Ａが複数隣接して切取り可能に形成され、ドレン排水配管用のノックアウト穴２０は、第２の切取り部２０Ｂが第１の切取り部２０Ａの開口領域を正面からみて上側（外側）と下側（内側）に分割するように切取り可能に形成されているので、ノックアウト穴を用途別にあわせて最適な大きさで開口することができ、ノックアウト穴と配管との隙間を断熱材等で確実に塞ぐことができるため、その隙間からの空気の流入・ゴミの侵入を防止することができる。また、そのことにより、送風ファン３と駆動用電動機が設置される機械室に吸込口２以外からの空気の流入を防止することができるので、配管接続スペース１ｃと送風ファン３と駆動用電動機が設置される機械室を別部品により隔てる必要がなくなり、部品点数削減によるコスト低減を図ることができる。
【００１６】
実施の形態２．
図６は本発明の実施の形態２に係る天吊形空気調和機の要部を側面から見た概略断面側面図、図７は天吊形空気調和機の据付け状態での配管接続実施例を示す斜視図である。
本実施の形態２では、実施の形態１に係る配管接続スペース１ｃの近傍にドレンアップ装置５０を備えたものである。
【００１７】
ドレンアップ装置５０を室内ユニット本体１の天井面１ａと側面(図示せず)に取付け板金(図示せず)を介し、配管接続スペース１ｃの近傍に固定する。ドレンパン９のドレン水排出口９ｃとドレンアップ装置からのホース５０ａを接続し、ドレンアップ装置内部のドレンパン５０ｂにドレン水ｄを流入させる。ドレンアップ装置内部にはドレンポンプ６０が備えられており、ドレンアップ装置内部のドレンパン５０ｂに溜まったドレン水ｄをドレンポンプ吸込口６０ａから吸上げ、ドレンポンプ吐出口６０ｂから排出する。ドレンポンプ吐出口６０ｂにはドレン排水ホース６０ｃが接続されており、ドレンアップ装置の側面５０ｃからドレン水を外へ導く。ドレン排水ホース６０ｃと現地でのドレン排水配管２３０を接続させるために、図７に示すように、室内ユニット本体１の背面１ｂのノックアウト穴２０から適切な箇所を選択して開口し、ドレン排水配管２３０を接続し、ドレン水を室内ユニット本体１の外へ排出する。
このとき、現地冷媒ガス配管２１０と現地冷媒液配管２２０は室内ユニット本体１の天井面１ａに設けられたノックアウト穴２０から適切な箇所を選択して開口し、配管接続スペース１ｃで熱交換器６からの冷媒ガス配管２１と冷媒液配管２２とに接続される。
その他の構成、作用、効果は、実施の形態１で示した場合と実質的に同じなので説明を省略する。
【００１８】
実施の形態２によれば、室内ユニット本体１の背面１ｂの下方に障害物があったとしてもドレン排水配管２３０を室内ユニット本体１の背面側上方に接続できるので、据付け場所の自由度が実施の形態１よりも高くなる。
【００１９】
実施の形態３．
図８は本発明の実施の形態２に係る天吊形空気調和機の要部を側面から見た概略断面側面図、図９は天吊形空気調和機の据付け状態での配管接続実施例を示す斜視図である。
上記の実施の形態２では、ドレンアップ装置５０のドレン排水ホース６０ｃと現地でのドレン排水配管２３０を接続させるために、室内ユニット本体１の背面側のノックアウト穴２０から適切な箇所を選択して開口し、ドレン排水配管２３０を接続し、ドレン水を室内ユニット本体１の外へを排出した場合を示したが、本実施の形態３では、ドレン排水ホース６０ｃをドレンアップ装置の天井面５０ｄから出して、ドレン排水配管２３０の接続を室内ユニット本体１の天井面１ａに設けられたノックアウト穴２０から実施し、現地冷媒ガス配管２１０及び現地冷媒液配管２２０よりも後方でドレン排水配管２３０の接続をするようにしたものである。
その他の構成、作用、効果は、実施の形態２に示した場合と実質的に同様なので説明を省略する。
【００２０】
実施の形態３によれば、室内ユニット本体１の背面１ｂの全体に障害物があったとしてもドレン排水配管２３０を室内ユニット本体１の天井面１ａに接続できるので、据付け場所の自由度が実施の形態２よりも高くなる。
【図面の簡単な説明】
【００２１】
【図１】本発明の実施の形態１に係る天吊形空気調和機の内部構造を示す概略断面側面図である。
【図２】天吊形空気調和機の配管接続状況を示す説明図である。
【図３】室内ユニット本体の壁面に形成されるノックアウト穴の一例を示す図である。
【図４】天吊形空気調和機の据付け状態での配管接続実施例１を示す図である。
【図５】天吊形空気調和機の据付け状態での配管接続実施例２を示す図である。
【図６】本発明の実施の形態２に係る天吊形空気調和機の要部を示す概略断面側面図である。
【図７】天吊形空気調和機の据付け状態での配管接続実施例を示す図である。
【図８】本発明の実施の形態３に係る天吊形空気調和機の要部を示す概略断面側面図である。
【図９】天吊形空気調和機の据付け状態での配管接続実施例を示す図である。
【符号の説明】
【００２２】
１  室内ユニット本体、１ａ  室内ユニット本体の天井面、１ｂ  室内ユニット本体の背面、１ｃ  配管接続スペース、２  吸込口、３  送風ファン、４  風路、５  吹出口、６  熱交換器、６ａ  熱交換器の側方部分、７  フィルタ、８  仕切り板、９  ドレンパン、９ａ  スキン層、９ｂ  ドレン水溜まり部、９ｃ  ドレン水排出口、１０  天吊形空気調和機、１１  意匠パネル、２０  ノックアウト穴、２０Ａ  第１の切取り部、２０Ｂ  第２の切取り部、２０ａ  スリット孔部、２０ｂ  切り離し部、２１  冷媒ガス配管、２２  冷媒液配管、５０  ドレンアップ装置、５０ａ  ホース、５０ｂ  ドレンアップ装置のドレンパン、５０ｃ  ドレンアップ装置の側面、５０ｄ  ドレンアップ装置の天井面、６０  ドレンポンプ、６０ａ  ドレンポンプ吸込口、６０ｂ  ドレンポンプ吐出口、６０ｃ  ドレン排水ホース、２１０  現地冷媒ガス配管、２２０  現地冷媒液配管、２３０  ドレン排水配管。
【図１】
2009139066.tif 000003
【図２】
2009139066.tif 000004
【図３】
2009139066.tif 000005
【図４】
2009139066.tif 000006
【図５】
2009139066.tif 000007
【図６】
2009139066.tif 000008
【図７】
2009139066.tif 000009
【図８】
2009139066.tif 000010
【図９】
2009139066.tif 000011